(57)【要約】【課題】給水装置と粉砕装置のメンテナンスを行いやすい便器装置を提供する。【解決手段】便器装置１は、台座部２と、便器本体４とを備える。便器本体４は、ボウル６２と、ボウル６２に水を供給する給水口６３１と、を有する。便器装置１は、給水装置３２と、粉砕装置３１と、給水路接続解除部８１と、排出路接続解除部９１とを更に備える。給水装置３２は、台座部２に取り付けられており、給水口６３１に対して給水路８を介して接続される。給水装置３２は、給水口６３１への給水と止水とを切り替える。粉砕装置３１は、台座部２に取り付けられており、ボウル６２に対して排出路９を介して接続される。粉砕装置３１は、ボウル６２から排出された汚物を砕く。給水路接続解除部８１は、給水装置３２と給水口６３１との接続状態を解除する。排出路接続解除部９１は、粉砕装置３１とボウル６２との接続状態を解除する。【選択図】図６
2020002578.tif 000002
【特許請求の範囲】
【請求項１】
設置面に載る台座部と、
前記台座部上に配置される便器本体と、
を備え、
前記便器本体は、
汚物を受けて前記汚物を排出口から排出するボウルと、
前記ボウルに水を供給する給水口と、
を有し、
前記台座部に取り付けられ、前記給水口に対して給水路を介して接続され、前記給水口への給水と止水とを切り替える給水装置と、
前記台座部に取り付けられ、前記排出口に対して排出路を介して接続され、前記排出口から排出された前記汚物を砕く粉砕装置と、
前記給水装置と前記給水口との接続状態を解除する給水路接続解除部と、
前記粉砕装置と前記排出口との接続状態を解除する排出路接続解除部と、
を更に備える、
便器装置。
【請求項２】
前記便器本体は、前記台座部に取外し可能に取り付けられている、
請求項１記載の便器装置。
【請求項３】
前記台座部は、前記設置面に対向する底板を有している、
請求項１又は請求項２記載の便器装置。
【請求項４】
前記給水装置及び前記粉砕装置の少なくとも一方は、前記底板に取り付けられている、
請求項３記載の便器装置。
【請求項５】
前記台座部は、前記底板の外周に沿って立ち上がる立上り面を有する、
請求項３又は請求項４記載の便器装置。
【請求項６】
前記台座部は、前記立上り面の外側に設けられた貫通孔を有し、
前記台座部は、前記貫通孔を通る固着具を介して、前記設置面に取り付けられる、
請求項５記載の便器装置。
【請求項７】
前記便器本体は、
連結部を有し、前記台座部に対して前記連結部で取外し可能に取り付けられたフレームと、
前記フレームに対して取外し可能であり、前記連結部を覆う側面カバーと、
を有する、
請求項１〜６のいずれか一つに記載の便器装置。
【請求項８】
前記便器本体は、前記排出口につながって前記排出路に設けられた排水トラップを有し、
前記排出路接続解除部は、前記排水トラップと前記粉砕装置との間に設けられている、
請求項１〜７のいずれか一つに記載の便器装置。
【発明の詳細な説明】
【技術分野】
【０００１】
本発明は、便器装置に関する。
【背景技術】
【０００２】
特許文献１には、従来の圧送式便器装置（以下、便器装置）が開示されている。特許文献１に記載の便器装置は、粉砕圧送装置と、給水バルブとを備える。粉砕圧送装置は、ボウル部の排出口部につながっており、ボウル部から排出された汚物を受け容れる。粉砕圧送装置は、流入した汚物を粉砕した後、排水設備に送ることができる。
【０００３】
給水バルブは、水道等の給水設備に接続された給水管に設けられている。給水バルブは、ボウル部への給水と止水とを切り替えることができる。
【先行技術文献】
【特許文献】
【０００４】
【特許文献１】特開２０１７−１４６９６号公報
【発明の概要】
【発明が解決しようとする課題】
【０００５】
ところで、上記特許文献１に記載の便器装置において、粉砕圧送装置及び給水バルブ等の機器は重量物である。このため、作業者は、粉砕圧送装置内に異物が詰まったとき等でメンテナンスする時において、便器装置を移動しにくく、メンテナンスを行いにくいという問題がある。
【０００６】
本発明は、上記事情に鑑みてなされ、給水装置と粉砕装置のメンテナンスを行いやすい便器装置を提供することを目的とする。
【課題を解決するための手段】
【０００７】
本発明に係る一態様の便器装置は、設置面に載る台座部と、前記台座部上に配置される便器本体と、を備える。前記便器本体は、汚物を受けて前記汚物を排出口から排出するボウルと、前記ボウルに水を供給する給水口と、を有する。便器装置は、給水装置と、粉砕装置と、給水路接続解除部と、排出路接続解除部と、を更に備える。給水装置は、前記台座部に取り付けられ、前記給水口に対して給水路を介して接続され、前記給水口への給水と止水とを切り替える。粉砕装置は、前記台座部に取り付けられ、前記排出口に対して排出路を介して接続され、前記排出口から排出された前記汚物を砕く。給水路接続解除部は、前記給水装置と前記給水口との接続状態を解除する。排出路接続解除部は、前記粉砕装置と前記排出口との接続状態を解除する。
【発明の効果】
【０００８】
本発明に係る上記態様の便器装置は、給水装置と粉砕装置のメンテナンスを行いやすい、という利点がある。
【図面の簡単な説明】
【０００９】
【図１】図１は、本発明の一実施形態に係る便器装置が設置面に設置された状態の斜視図である。
【図２】図２は、同上の便器装置の分解斜視図である。
【図３】図３Ａは、同上の台座部及び機器の斜視図である。図３Ｂは、同上の台座部及び機器を前後方向に直交する面で切断した断面図である。
【図４】図４は、同上のフレームの斜視図である。
【図５】図５Ａは、同上のフレームとスカートの取付け状態を説明する一部を破断した平面図である。図５Ｂは、図５ＡのＡ部分の拡大図である。
【図６】図６は、同上の便器装置の給水路及び排出路の概略図である。
【図７】図７Ａ〜図７Ｃは、同上の便器装置において、台座部から便器本体を取り外す手順を示す斜視図である。
【発明を実施するための形態】
【００１０】
（１）実施形態
（１．１）概要
本実施形態に係る便器装置１は、図１に示すように、設置面１００に設置される。便器装置１は、設置面１００に載る台座部２と、便器本体４と、給水装置３２（図２）と、粉砕装置３１（図２）と、給水路接続解除部８１（図６）と、排出路接続解除部９１（図６）とを備える。
【００１１】
便器本体４は、台座部２上に配置される。便器本体４は、図６に示すように、ボウル６２と、ボウル６２に水を供給する給水口６３１とを備える。ボウル６２は、排出口６２１を有しており、ユーザが排出する汚物を受け、当該汚物を排出口６２１から排出する。
【００１２】
給水装置３２は、給水口６３１への給水と止水とを切り替える。給水装置３２は、給水口６３１に対し、給水路８を介して接続される。給水装置３２は、台座部２に取り付けられている。粉砕装置３１は、ボウル６２から排出された汚物を砕く。粉砕装置３１は、ボウル６２の排出口６２１に対し、排出路９を介して接続される。粉砕装置３１は、台座部２に取り付けられている。
【００１３】
給水路接続解除部８１は、給水装置３２と給水口６３１との接続状態を解除する。また、排出路接続解除部９１は、粉砕装置３１と排出口６２１との接続状態を解除する。これによって、給水装置３２及び粉砕装置３１から便器本体４を切り離すことができ、給水装置３２及び粉砕装置３１を台座部２に残したまま、便器本体４を移動させることができる。
【００１４】
このため、本実施形態に係る便器装置１によれば、給水装置３２及び粉砕装置３１のメンテナンスを行う場合にも、容易に作業をすることができる。
【００１５】
（１．２）詳細
以下、本実施形態に係る便器装置１について、詳細に説明する。
【００１６】
本実施形態に係る便器装置１は、図１に示すように、設置面１００に設置される。本実施形態に係る便器装置１は、設置面１００に載った状態で、固着具を介して取り付けられている。設置面１００は、本実施形態では床面であるが、本開示では、例えば、防水マット等の敷物の上面，タイルの上面，浴室等の防水パンの上面又は地面等が挙げられる。設置面１００は、本開示では、室内にあってもよいし、屋外にあってもよい。また、設置面１００は、本実施形態では平面であるが、本開示では凹凸面であってもよい。
【００１７】
本実施形態に係る便器装置１は、トイレルームの内部に配置される。トイレルームは、少なくとも一つの壁１０１を有する。ここで、本実施形態では、図１に示すように、壁１０１から便器装置１に向かいかつ設置面１００に沿う方向を「前方向」とし、その反対方向を「後方向」として定義する。また、「左方向」及び「右方向」は、ユーザが便器装置１を後方向に見たときの「右」「左」を基準にして定義される。
【００１８】
トイレルームは、本実施形態では、給水部１０２と、排水部１０３とを備える。給水部１０２は、本実施形態では、トイレルームの壁１０１に対して固定されている。給水部１０２は、給水源につながり、便器装置１に対して水の供給を行う部分である。給水部１０２は、本実施形態では、止水栓であるが、例えば、壁１０１に固定された継ぎ手であってもよい。給水源は、水の供給源であり、本実施形態では、配水池につながる配水管から各住宅に向かって分岐した配管のことである。したがって、本実施形態では、給水部１０２から供給される水は、水圧を有する。ただし、本開示では、給水源は、例えば、貯水タンクにつながる配管であってもよい。
【００１９】
排水部１０３は、本実施形態では、トイレルームの壁１０１に対して固定されている。排水部１０３は、下水道管につながり、便器装置１で粉砕した汚物を排出する部分である。排水部１０３は、本実施形態では、バルブであるが、例えば、壁１０１に固定された継ぎ手であってもよい。
【００２０】
便器装置１は、給水管接続部１２と、排水管接続部１１とを備える。給水管接続部１２は、給水部１０２に接続される部分であり、給水源から水の供給を受ける部分である。給水管接続部１２と給水部１０２とは、給水管１０４を介して接続される。排水管接続部１１は、排水部１０３に接続される部分であり、便器装置１から汚物を出す部分である。排水管接続部１１と排水部１０３とは、排水管１０５を介して接続される。
【００２１】
本実施形態に係る便器装置１は、図２に示すように、台座部２と、複数の機器３と、便器本体４と、後カバー７と、を備える。
【００２２】
（１．２．１）台座部
台座部２は、機器３が取り付けられる台であり、設置面１００に載る。台座部２は、本実施形態では、設置面１００に対して、固着具で取り付けられている。ただし、本開示では、台座部２は、設置面１００に対して固定されていなくてもよい。要するに、本開示において「設置面１００に載る」とは、設置面１００に対して、固定されている態様と、固定されていない態様とを含む。
【００２３】
台座部２には、図３Ａに示すように、後述の機器３が取り付けられている。機器３は、台座部２に対して固定されている。台座部２は、機器３が取り付けられる底板２１と、外周部２２と、引掛け部２７と、を備える。底板２１，外周部２２及び引掛け部２７は、本実施形態では、一体である。底板２１と外周部２２とは、本実施形態では、合成樹脂により形成されているが、例えば、硬質ゴム，金属，カーボン又は木材等で形成されてもよい。
【００２４】
底板２１の下面は、設置面１００に対向する。底板２１は、機器３と設置面１００との間に配置され、万が一、機器３から漏水が生じても、水を受けることができる。底板２１は、図３Ｂに示すように、板状であり、本実施形態では、設置面１００に対して平行である。
【００２５】
外周部２２は、底板２１の外周に沿って連続して形成された部分である。外周部２２は、底板２１の上面に一体に形成されている。外周部２２は、本実施形態では、立上り面２２１と、載置面２２２と、複数の貫通孔２２３と、複数の取付け穴２２４とを備える。
【００２６】
立上り面２２１は、上方から見て（以下、平面視という）、底板２１の外周に沿って立ち上がる面である。立上り面２２１は、本実施形態では、鉛直面に平行な面である。立上り面２２１により、底板２１で受けた水が設置面１００に流れ出るのを防ぐことができる。立上り面２２１は、本実施形態では、底板２１の外周縁よりも一定の寸法だけ内側に配置されている。対向する立上り面２２１の間の寸法は、少なくとも機器３が収まる寸法以上に形成されている。
【００２７】
ここで、本開示でいう「鉛直面」とは、設置面１００に対して直交する面を意味する。また、本開示でいう「平行」であるとは、同一平面上の２直線（あるいは空間の２平面，又は１直線と１平面）との成す角が、例えば、０以上１０°以下である場合を含む。
【００２８】
なお、立上り面２２１は、本実施形態では鉛直面に平行な平面であるが、本開示では、底板２１の上面から立ち上がっていればよく、鉛直面に対して傾いていてもよいし、鉛直断面において曲面状や段状に形成されてもよい。
【００２９】
載置面２２２は、便器本体４が載る面である。載置面２２２は、便器本体４が載ることができればよく、図３Ａに示すように、複数の開口面を有していてもよい。載置面２２２は、本実施形態では、設置面１００に平行であり、立上り面２２１に対して直交する。載置面２２２は、底板２１の上面よりも上に位置している。
【００３０】
貫通孔２２３は、台座部２を設置面１００に取り付ける固着具が通る孔である。複数（ここでは、２つ）の貫通孔２２３は、立上り面２２１の外側に設けられている。各貫通孔２２３は、前後方向において、台座部２の中央よりも後ろで、かつ、左側端部及び右側端部の各々に形成されている。本開示でいう「立上り面２２１の外側」とは、台座部２の平面視において、立上り面２２１よりも、中心（図心）とは反対側に位置する部分を意味する。貫通孔２２３は、本実施形態では、載置面２２２から底板２１の下面までを貫通する。言い換えると、貫通孔２２３は上下方向に延びている。
【００３１】
貫通孔２２３は、本実施形態では、丸穴である。ただし、本開示では、丸穴でなくてもよく、長孔，角孔，又はだるま孔等であってもよい。また、貫通孔２２３は、平面視で外側に開放していてもよく、切欠き状であってもよい。
【００３２】
取付け穴２２４は、載置面２２２に対して便器本体４を取り付けるための穴である。複数（ここでは２つ）の取付け穴２２４は、立上り面２２１の外側に設けられている。各取付け穴２２４は、貫通孔２２３よりも前に形成されている。取付け穴２２４は、本実施形態では、載置面２２２から底板２１の下面までを貫通するが、貫通していなくてもよい。本実施形態では、取付け穴２２４の下方の端部には、ザグリ加工が施されており、図３Ｂに示すように、ナット２２６が収められる。本実施形態では、台座部２に対し、ボルト２２５及びナット２２６を介して、便器本体４のフレーム５が取り付けられる。ただし、取付け穴２２４は、内周面に雌ねじが形成されてもよい。すなわち、フレーム５は取付け穴２２４に対し固着具を介して取り付けられる。
【００３３】
引掛け部２７には、便器本体４の前側の端部（以下、前端部）の下端部が引っ掛けられる。引掛け部２７は、本実施形態では、便器本体４の上方向への移動を規制する一対の引掛け爪２７０で構成される。一対の引掛け爪２７０は、左右方向に互いに離れている。
【００３４】
（１．２．２）機器
複数（ここでは２つ）の機器３は、台座部２に取り付けられる。機器３は、本実施形態では、動力源の供給を受けて駆動する機械である。動力源は、本実施形態では電力であるが、エアであってもよい。本実施形態に係る便器装置１は、複数の機器３として、粉砕装置３１と、給水装置３２と、を備える。
【００３５】
粉砕装置３１は、底板２１に取り付けられる。粉砕装置３１は、本実施形態では、ボウル６２から排出された汚物を砕く。ここでいう「汚物」とは、ユーザ等から排泄されたし尿だけでなく、ペーパ等も含む。粉砕装置３１は、本実施形態では、汚物を粉砕する粉砕機と、砕かれた汚物を圧送する圧送ポンプとを備える。粉砕装置３１は、後述の「（１．２．５）給水路及び排出路」で述べるように、ボウル６２の排出口６２１と、排水管接続部１１とをつなぐ排出路９の一部に設けられている。本開示でいう「排出路９」は、ボウル６２からの排水が通る経路である。要するに、粉砕装置３１は、ボウル６２の排出口６２１に対して排出路９を介して接続される。
【００３６】
給水装置３２は、ボウル６２に設けられた給水口６３１への給水と止水とを切り替える。給水装置３２は、粉砕装置３１に取り付けられており、底板２１に対して、間接的に取り付けられる。したがって、本開示でいう「底板２１に取り付けられる」とは、対象物（ここでは機器３）が、直接的又は間接的に底板２１に取り付けられていることを意味する。
【００３７】
給水装置３２は、本実施形態では、電磁弁である。ただし、本開示では、給水装置３２は、電動弁，又は給水ポンプであってもよい。また、給水装置３２は、給水ポンプと、電磁弁又は電動弁と、が組み合わされてもよい。特に、給水源の水圧が不足する場合には、給水装置３２として、給水ポンプを含むことが好ましい。
【００３８】
給水装置３２は、後述の「（１．２．５）給水路及び排出路」で述べるように、ボウル６２に水を供給する給水口６３１と、給水管接続部１２とをつなぐ給水路８の一部に設けられている。本開示でいう「給水路８」は、給水源から供給された水が通る経路である。要するに、給水装置３２は、給水口６３１に対して給水路８を介して接続される。
【００３９】
（１．２．３）便器本体
便器本体４は台座部２上に配置される。便器本体４は、本実施形態では、台座部２に対して取外し可能に取付けられる。便器本体４は、図２に示すように、フレーム５と、樹脂成形体６とを備える。
【００４０】
フレーム５は、便器本体４において、骨格となる骨組みである。フレーム５は、本実施形態では、金属製であり、具体的には、ステンレスである。ただし、本開示では、フレーム５は、例えば、鉄，チタン，鋼鉄（スチール），亜鉛，又は銅等であってもよく、あるいは、繊維強化プラスチックのような高強度の樹脂製であってもよい。フレーム５は、図４に示すように、基部５１と、起立部５２と、一対の脚部５３と、一対の支持部５４とを備える。
【００４１】
基部５１は、台座部２の上面に対向する。基部５１は、本実施形態では、台座部２の載置面２２２に対して取外し可能に取り付けられる。基部５１は、平面視略Ｕ字状に形成されており、後方向に開口している。基部５１の内周縁は、開口を形成する。要するに、フレーム５は、下方向に向いて台座部２の上面に対向する開口空間である下開口面５５を有する。下開口面５５は、基部５１の下面と同一平面上に位置する面である。
【００４２】
基部５１は、左右方向の両端部に、台座部２に取り付けられる複数の連結部５１１を有する。連結部５１１は、本実施形態では、孔である。連結部５１１と取付け穴２２４とは、固着具を介して連結される。連結部５１１は、基部５１において起立部５２よりも後側に形成されている。また、基部５１において起立部５２よりも前側には、後述のスカート６４の下端が取り付けられる。
【００４３】
起立部５２は、基部５１の上面から起立する部分である。起立部５２には、図５Ｂに示すように、スカート６４の後側端部に設けられた取付け片６４２が、固着具６３４を介して取り付けられる。起立部５２は、図４に示すように、本実施形態では、前方からみて（以下、正面視）逆Ｕ字状に形成されている。
【００４４】
一対の脚部５３は、基部５１の後端部から一対一で立ち上げられている。一対の脚部５３は、左右方向に離れており、互いに対向する面の後端縁は、開口を形成する。要するに、フレーム５は、後方向に向く開口空間である後開口面５６を有する。後開口面５６は、脚部５３の後面と同一平面上に位置する面であり、本実施形態では鉛直面に平行である。本実施形態では、基部５１は、後方向に開口しており、基部５１の後端をつなぐ補強材が設けられておらず、また、一対の脚部５３の下端をつなぐ補強材３も設けられていない。このため、後開口面５６と下開口面５５とは、開口空間どうしがつながっている。
【００４５】
各支持部５４は、起立部５２と脚部５３とをつなぐ。各支持部５４は、平面視略クランク状に形成されている。本実施形態では、一対の支持部５４同士は、つなぎ材５７で接続されている。
【００４６】
樹脂成形体６は、便器本体４の外郭を形成する部分であり、フレーム５によって支持される。樹脂成形体６は、本実施形態では、図２に示すように、リム６１と、ボウル６２と、給水ノズル６３（図６）と、ボウル６２を支持するスカート６４と、一対の側面カバー６５と、後部カバー６６と、排水トラップ６７とを備える。
【００４７】
リム６１は、ボウル６２の上端部に対して取り付けられている。リム６１は、平面視環状に形成されている。リム６１の上端面は、平面であり、図１に示すように、便座１３が載る。便座１３及び蓋１４は、後部カバー６６に対して左右方向に平行な軸回りに回転可能に取り付けられる。
【００４８】
ボウル６２は、ユーザが排泄する汚物を受けて、当該汚物を排出口６２１（図６）から排出する。ボウル６２は、上面に開口面を有しており、椀状に形成されている。ボウル６２の下端部には、後方向に開口する筒部が形成されている。筒部の後方向の端部は排出口６２１である。
【００４９】
給水ノズル６３は、ボウル６２内に水を供給する。給水ノズル６３は、給水装置３２に対し給水路８を介して接続される。給水ノズル６３の先端面は水がでる給水口６３１である。要するに、給水口６３１は、ボウル６２に水を供給する。
【００５０】
スカート６４は、ボウル６２を支持する。スカート６４は、図２に示すように、水平断面略Ｕ字状に形成されている。スカート６４の内周面には、複数の縦リブ６４１が形成されている。スカート６４の上端よりもやや下の位置で、縦リブ６４１によってボウル６２が支持され、スカート６４の上端にリム６１が取り付けられる。リム６１とスカート６４とは、溶着によって一体に形成されている。
【００５１】
ユーザが便座１３に載ると、リム６１を介して下方向に荷重が掛かるが、当該荷重はスカート６４の縦リブ６４１によって支持される。スカート６４の後端部及び下端部は、フレーム５に対して固定されているため、効果的に、リム６１からの荷重を受けることができる。
【００５２】
一対の側面カバー６５は、フレーム５に対して取外し可能に取り付けられている。側面カバー６５は、連結部５１１を覆う。したがって、側面カバー６５をフレーム５から取り外すと、図７Ａに示すように、連結部５１１が露出する。これによって、側面カバー６５をフレーム５から取り外すことで、ユーザ又は作業者は、台座部２からフレーム５を取り外す作業を行いやすい。
【００５３】
後部カバー６６は、フレーム５の支持部５４に取り付けられている。後部カバー６６は、便器装置１の後側の端部の上部を形成する。後部カバー６６は、本実施形態では、図６に示すように、逆流防止部６６１を収容する。逆流防止部６６１は、給水路８の途中に設けられている。
【００５４】
排水トラップ６７は、ボウル６２内に封水６２２を形成する。封水６２２は、ボウル６２内に貯められた水であり、下水道管からの臭気や害虫がトイレルーム内に侵入するのを防止する。排水トラップ６７は、ボウル６２の排出口６２１に取り付けられている。排水トラップ６７は、本実施形態では、いわゆるＳ字トラップである。排水トラップ６７は、排出路９の途中に設けられており、要するに、排水トラップ６７と粉砕装置３１とは排出路９で接続されている。
【００５５】
（１．２．４）後カバー
後カバー７は、台座部２の後側の端部に取り付けられる。後カバー７は、フレーム５の後開口面５６を覆う。後カバー７は、フレーム５には固定されておらず、台座部２からフレーム５が取り外されても、後カバー７は、台座部２に取り付けられた状態に保たれる。後カバー７は、便器本体４に対して、後側に位置する。後カバー７は、図２に示すように、排出路９を形成する配管１０の少なくとも一部を保持する保持部７１を有する。保持部７１は、給水路８を形成する配管１０の少なくとも一部を保持してもよい。要するに、後カバー７は、排出路９又は給水路８を保持することができる。
【００５６】
（１．２．５）給水路及び排出路
給水路８は、図６に示すように、給水管接続部１２と給水口６３１とをつなぐ経路である。給水路８には、給水装置３２が設けられる。給水路８において、給水装置３２と給水口６３１との間（詳しくは、給水装置３２と逆流防止部６６１との間）には、給水路接続解除部８１が設けられる。
【００５７】
給水路接続解除部８１は、給水路８に設けられて、給水装置３２と給水口６３１との接続状態を解除する。給水路接続解除部８１は、本実施形態では、便器本体４に固定された継ぎ手である。継ぎ手と給水装置３２との間に接続された配管１０は、継ぎ手との間で取り外すことができる。
【００５８】
給水路接続解除部８１は、本実施形態では継ぎ手であるが、本開示では、ソケット，又はカップリング継ぎ手，配管１０をワンタッチで取り外すことができるワンタッチ継ぎ手等であってもよい。本実施形態では、給水路接続解除部８１は、便器本体４に対して固定されたが、本開示では、給水装置３２から配管１０が取り外すことができるように構成されてもよいし、配管１０の途中で分離するように構成されてもよい。
【００５９】
配管１０は、例えば、柔軟性を有するチューブ，可とう性を有するホース，硬質樹脂，又は金属製のフレキシブル管等で構成される。
【００６０】
排出路９は、上述のように、排水管接続部１１と排出口６２１とをつなぐ経路である。排出路９には、粉砕装置３１が設けられる。排出路９において、粉砕装置３１と排出口６２１との間（詳しくは、粉砕装置３１と排水トラップ６７との間）には、排出路接続解除部９１が設けられる。
【００６１】
排出路接続解除部９１は、排出路９に設けられて、粉砕装置３１と排出口６２１との接続状態を解除する。排出路接続解除部９１は、本実施形態では、粉砕装置３１に固定された継ぎ手である。継ぎ手と排水トラップ６７とは取外し可能に取り付けられている。
【００６２】
排出路接続解除部９１は、本実施形態では継ぎ手であるが、本開示では、ソケット，又はカップリング継ぎ手，配管１０をワンタッチで取り外すことができるワンタッチ継ぎ手等であってもよい。本実施形態では、排出路接続解除部９１は、粉砕装置３１に対して固定されたが、本開示では、粉砕装置３１と排水トラップ６７との間に配管１０を設け、この配管１０の途中で分離するように構成されてもよい。
【００６３】
（１．２．６）取外し方法
上記構成の便器装置１は、例えば、メンテナンスを行うときには、つぎのようにして、便器本体４を台座部２から取り外すことができる。図７Ａに示すように、ユーザ又は作業者（ユーザ等という）は、フレーム５から側面カバー６５を取り外す。すると、連結部５１１、給水路接続解除部８１及び排出路接続解除部９１が露出する。ユーザ等は、台座部２と連結部５１１とを結ぶ固着具を取り外す。また、給水路接続解除部８１及び排出路接続解除部９１を操作し、給水装置３２及び粉砕装置３１と、便器本体４との接続状態を解除する。なお、この状態では、台座部２の引掛け部２７に、便器本体４の前端部の下端部が引っ掛かっている。また、この状態では、給水装置３２及び粉砕装置３１は、下開口面５５よりも上方で、かつ後開口面５６よりも前方に位置している。ここでいう「上方」とは、給水装置３２又は粉砕装置３１と下開口面５５とが重なる場合も含む。また、ここでいう「前方」とは、給水装置３２又は粉砕装置３１と後開口面５６とが重なる場合も含む。
【００６４】
次いで、ユーザ等は、図７Ｂに示すように、台座部２に対して、便器本体４を前方向に移動させる。すると、引掛け部２７から、便器本体４の前端部の下端部が外れ、便器本体４が上方向に移動可能となる。このとき、フレーム５は、後開口面５６を有するため、台座部２に機器３が取り付けられていても、便器本体４は台座部２に対して移動することができる。
【００６５】
この状態で、ユーザ等は、便器本体４を上方向に移動させる。フレーム５は、後開口面５６の開口空間と下開口面５５の開口空間とがつながっているため、台座部２に対して、便器本体４を前方向及び上方向に移動させることができる。
【００６６】
便器本体４が台座部２の上に存在しなくなると、機器３のメンテナンスを行いやすい。また、台座部２は底板２１を有しているため、給水路接続解除部８１や排出路接続解除部９１から水が漏れた場合や、機器３をひっくり返してメンテナンスを行う場合等に、漏れた水を受けることができる。したがって、本実施形態に係る便器装置１によれば、機器３のメンテナンスを行いやすい。
【００６７】
（２）変形例
上記実施形態は、本開示の様々な実施形態の一つに過ぎない。実施形態は、本開示の目的を達成できれば、設計等に応じて種々の変更が可能である。以下、実施形態の変形例を列挙する。以下に説明する変形例は、適宜組み合わせて適用可能である。
【００６８】
上記実施形態では、便器装置１は、トイレルームの壁１０１に固定された給水部１０２としての止水栓と、給水管接続部１２とが給水管を介して接続されたが、本開示では、給水源から引き出された配管が、直接、便器装置１の給水管接続部１２に接続されてもよい。
【００６９】
上記実施形態では、便器本体４は、台座部２の載置面２２２に取外し可能に取り付けられたが、台座部２の側面に対して取外し可能に取り付けられてもよい。また、便器本体４のフレーム５が台座部２よりも外側に位置し、フレーム５が設置面１００に対して取外し可能に取り付けられてもよい。要するに、本開示では、便器本体４は、少なくとも一部が台座部２の上方に位置していればよい。
【００７０】
上記実施形態では、給水装置３２及び粉砕装置３１は、底板２１に取り付けられたが、給水装置３２及び粉砕装置３１のいずれか一方を底板２１に取り付け、他方を外周部２２にかけ渡された桟材に取り付けてもよい。また、給水装置３２及び粉砕装置３１の両方を外周部２２にかけ渡された桟材に取り付けてもよく、機器３は、必ずしも底板２１に取り付けられなくてもよい。
【００７１】
ボウル６２に供給される水は、本実施形態では水道水であるが、給水路８の途中で洗剤が混入された洗剤水であってもよい。
【００７２】
（３）態様
以上説明したように、第１の態様に係る便器装置（１）は、設置面（１００）に載る台座部（２）と、台座部（２）上に配置される便器本体（４）と、を備える。便器本体（４）は、汚物を受けて汚物を排出口（６２１）から排出するボウル（６２）と、ボウル（６２）に水を供給する給水口（６３１）と、を有する。便器装置（１）は、給水装置（３２）と、粉砕装置（３１）と、給水路接続解除部（８１）と、排出路接続解除部（９１）とを更に備える。給水装置（３２）は、台座部（２）に取り付けられており、給水口（６３１）に対して給水路（８）を介して接続される。給水装置（３２）は、給水口（６３１）への給水と止水とを切り替える。粉砕装置（３１）は、台座部（２）に取り付けられており、排出口（６２１）に対して排出路（９）を介して接続される。粉砕装置（３１）は、排出口（６２１）から排出された汚物を砕く。給水路接続解除部（８１）は、給水装置（３２）と給水口（６３１）との接続状態を解除する。排出路接続解除部（９１）は、粉砕装置（３１）と排出口（６２１）との接続状態を解除する。
【００７３】
この態様によれば、給水路接続解除部（８１）及び排出路接続解除部（９１）により、給水装置（３２）と便器本体（４）、粉砕装置（３１）と便器本体（４）との接続を解除した上で、台座部（２）に対して便器本体（４）を移動させることができる。このとき、台座部（２）に給水装置（３２）と粉砕装置（３１）とを残したままとすることができるため、作業者は、便器本体（４）を容易に移動させることができる。この結果、給水装置（３２）又は粉砕装置（３１）のメンテナンス等を容易に行うことができる。
【００７４】
第２の態様に係る便器装置（１）では、第１の態様において、便器本体（４）は、台座部（２）に取外し可能に取り付けられている。
【００７５】
この態様によれば、便器装置（１）を設置面（１００）に取り付けるときに、便器本体（４）を設置面（１００）に取り付ける必要がない。
【００７６】
第３の態様に係る便器装置（１）では、第１又は第２の態様において、台座部（２）は、設置面（１００）に対向する底板（２１）を有している。
【００７７】
この態様によれば、例えば、メンテナンスのときに、給水装置（３２）及び粉砕装置（３１）の少なくとも一方から水が出ても、底板（２１）で受けることができ、水が設置面（１００）に流れるのを抑えることができる。
【００７８】
第４の態様に係る便器装置（１）では、第３の態様において、給水装置（３２）及び粉砕装置（３１）の少なくとも一方は、底板（２１）に取り付けられている。
【００７９】
この態様によれば、給水装置（３２）及び粉砕装置（３１）の少なくとも一方の取付け構造を簡単にすることができる。
【００８０】
第５の態様に係る便器装置（１）では、第３又は第４の態様において、台座部（２）は、底板（２１）の外周に沿って立ち上がる立上り面（２２１）を有する。
【００８１】
この態様によれば、給水装置（３２）及び粉砕装置（３１）の少なくとも一方から流れた水を底板（２１）で受けた場合に、受けた水が、底板（２１）から設置面（１００）へ流れるのを抑えることができる。
【００８２】
第６の態様に係る便器装置（１）では、第５の態様において、台座部（２）は、立上り面（２２１）の外側に設けられた貫通孔（２２３）を有する。台座部（２）は、貫通孔（２２３）を通る固着具を介して、設置面（１００）に取り付けられる。
【００８３】
この態様によれば、台座部（２）が固着具により設置面（１００）に取り付けられた場合、底板（２１）で受けた水が立上り面（２２１）よりも外側に流れるのを防ぐことができるため、固着具を伝って水が設置面（１００）に行くのを抑えることができる。
【００８４】
第７の態様に係る便器装置（１）では、第１〜第６のいずれか一つの態様において、便器本体（４）は、フレーム（５）と、側面カバー（６５）とを備える。フレーム（５）は、連結部（５１１）を有し、台座部（２）に対して連結部（５１１）で取外し可能に取り付けられる。側面カバー（６５）は、フレーム（５）に対して取外し可能であり、連結部（５１１）を覆う。
【００８５】
この態様によれば、側面カバー（６５）を取り外すと、連結部（５１１）が露出するため、連結部（５１１）での作業を行いやすい。この結果、台座部（２）に対する便器本体（４）の取外し作業を行いやすくなる。
【００８６】
第８の態様に係る便器装置（１）では、第１〜第７のいずれか一つの態様において、便器本体（４）は、排出口（６２１）につながって排出路（９）に設けられた排水トラップ（６７）を有する。排出路接続解除部（９１）は、排水トラップ（６７）と粉砕装置（３１）との間に設けられている。
【００８７】
この態様によれば、排水トラップ（６７）によって封水を形成した状態を保ったまま、便器本体（４）を移動することができる。
【００８８】
第２〜第８の態様に係る構成については、便器装置（１）に必須の構成ではなく、適宜省略可能である。
【符号の説明】
【００８９】
１        便器装置
２        台座部
２１      底板
２２１    立上り面
２２３    貫通孔
３１      粉砕装置
３２      給水装置
４        便器本体
５        フレーム
５１１    連結部
６２      ボウル
６２１    排出口
６３１    給水口
６５      側面カバー
６７      排水トラップ
８        給水路
８１      給水路接続解除部
９        排出路
９１      排出路接続解除部
１００    設置面
【図１】
2020002578.tif 000003
【図２】
2020002578.tif 000004
【図３】
2020002578.tif 000005
【図４】
2020002578.tif 000006
【図５】
2020002578.tif 000007
【図６】
2020002578.tif 000008
【図７】
2020002578.tif 000009